(57)【特許請求の範囲】
【請求項１】
前後方向に沿って螺旋状に巻回された態様で構成され、かつ中心軸回りに回転可能に配設された螺旋状部材を備え、
前記螺旋状部材をその中心軸回りに回転させることにより、該螺旋状部材のピッチ間にフック状の係合部が係合して吊り下げられた状態にある商品を順次前方に向けて搬出する商品搬出装置において、
前記螺旋状部材の内部をその延在方向に沿って挿通する態様で配設された商品台部材を有し、前記商品のフック状の係合部が前記商品台部材に係合することにより該商品を支持する商品受部を備え、
前記商品受部は、前記螺旋状部材がその中心軸回りに回転する場合に撓むことを抑制するガイド部材を支持する側板部材の下端に一体的に設けられ、かつ前記商品台部材に係合する商品を起立姿勢に保持する姿勢保持部材を備えて成ることを特徴とする商品搬出装置。
【請求項２】
前記商品受部は、前端が閉塞され、かつ前記螺旋状部材の下端部を収納する長孔を備えて成ることを特徴とする請求項１に記載の商品搬出装置。
【発明の詳細な説明】
【技術分野】
【０００１】
本発明は、商品搬出装置に関し、より詳細には、例えばフック状の柄を有した長傘等のようにフック状の係合部を有した商品を順次前方に向けて搬出する商品搬出装置の改良に関するものである。
【背景技術】
【０００２】
従来、例えばフック状の柄を有した長傘等のようにフック状の係合部を有した商品を順次前方に向けて搬出する商品搬出装置が知られている。
【０００３】
例えば、前後方向に沿って螺旋状に巻回された態様で構成され、かつ中心軸回りに回転可能に配設されたスパイラルを備え、該スパイラルのピッチ間においてフック状の柄が該スパイラルに直接係合されることにより、商品（長傘）が吊り下げられた状態にある商品搬出装置が知られている。このような商品搬出装置では、スパイラルが中心軸回りに回転することにより、商品が前方に向けて順次搬出されることになる（例えば、特許文献１参照）。
【０００４】
【特許文献１】特開２００６−５９２４８号公報
【発明の開示】
【発明が解決しようとする課題】
【０００５】
ところが、上述したような商品搬出装置では、スパイラルのピッチ間において商品（長傘）のフック状の係合部（柄）を該スパイラルに直接係合して該商品を吊り下げるようにしていたので、商品を傾けたり、ひねったりしてフック状の係合部をスパイラルに係合する必要があり、商品の収納が煩雑なものになっていた。特に長傘のような長尺物ではより顕著であった。
【０００６】
本発明は、上記実情に鑑みて、螺旋状部材のピッチ間にフック状の係合部を有する商品を容易に収納することができる商品搬出装置を提供することを目的とする。
【課題を解決するための手段】
【０００７】
上記目的を達成するために、本発明の請求項１に係る商品搬出装置は、前後方向に沿って螺旋状に巻回された態様で構成され、かつ中心軸回りに回転可能に配設された螺旋状部材を備え、前記螺旋状部材をその中心軸回りに回転させることにより、該螺旋状部材のピッチ間にフック状の係合部が係合して吊り下げられた状態にある商品を順次前方に向けて搬出する商品搬出装置において、前記螺旋状部材の内部をその延在方向に沿って挿通する態様で配設された商品台部材を有し、前記商品のフック状の係合部が前記商品台部材に係合することにより該商品を支持する商品受部を備え、前記商品受部は、前記螺旋状部材がその中心軸回りに回転する場合に撓むことを抑制するガイド部材を支持する側板部材の下端に一体的に設けられ、かつ前記商品台部材に係合する商品を起立姿勢に保持する姿勢保持部材を備えて成ることを特徴とする。
【０００９】
また、本発明の請求項２に係る商品搬出装置は、上述した請求項１において、前記商品受部は、前端が閉塞され、かつ前記螺旋状部材の下端部を収納する長孔を備えて成ることを特徴とする。
【発明の効果】
【００１０】
本発明によれば、フック状の係合部を有する商品を螺旋状部材の各ピッチ間に進入させて、該螺旋状部材の内部をその延在方向に沿って挿通する態様で配設された商品台部材にフック状の係合部を係合させて商品を吊り下げた状態に支持するので、商品を傾けたり、ひねったりしてフック状の係合部を係合させる必要が無く、商品を容易に収納することができるという効果を奏する。
【発明を実施するための最良の形態】
【００１１】
以下に添付図面を参照して、本発明に係る商品搬出装置の好適な実施の形態について詳細に説明する。
【００１２】
図１および図２は、それぞれ本発明の実施の形態における商品搬出装置が適用された自動販売機を示すものであり、図１は斜視図、図２は内部を示す正面図である。ここに例示する自動販売機は、長傘を販売するもので、本体キャビネット１を備えている。
【００１３】
本体キャビネット１は、複数の鋼板を適宜組み合わせることによって、前面が開口した直方状の筐体として構成したものである。この本体キャビネット１の内部には、仕切板２により複数（図示の例では３つ）の独立したコラム３が左右に並んだ態様で配設してある。これらコラム３には、それぞれ商品搬出装置２０が収容してある。この商品搬出装置２０は、詳細は後述するが、長傘Ｕを吊り下げた状態で収納し、搬出指令に応じて長傘Ｕを１つずつ順次搬出するものである。
【００１４】
上記本体キャビネット１の前面には、鋼材により堅牢に構成された外扉４が設けてある。外扉４は、本体キャビネット１の前面開口を覆うのに十分な大きさを有したものであり、本体キャビネット１の前面開口を開閉するためのものである。外扉４の外表面右側上部には、どのような物品を販売する自動販売機であるかを明示する表示が施してある。本実施の形態においては、長傘Ｕを販売する自動販売機であるので、「傘のマーク」等が明示してある。
【００１５】
外扉４の外表面左側部分には、販売表示部５、紙幣投入口６、硬貨投入口７、返却レバー８および金額表示部９が設けてある。販売表示部５は、自動販売機が稼働中であるか否かの表示を行う部分であり、自動販売機が稼働中である場合には「販売中」の表示が点灯される。
【００１６】
紙幣投入口６は、紙幣を投入する部分であり、外扉４の内表面に取り付けられたビルバリデータ（図示せず）に連通している。ビルバリデータは、投入された紙幣の真偽と金種とを識別して収容するものであり、紙幣投入口６から投入された紙幣は、ビルバリデータによって真偽および金種が識別された後に収容され、識別できなかった紙幣は、紙幣投入口６から返却されることになる。
【００１７】
硬貨投入口７は、硬貨を投入する部分であり、外扉４の内表面に取り付けられたコインメカニズム（図示せず）に連通している。コインメカニズムは、投入された硬貨の真偽と金種とを識別して金種毎に収容するものであり、硬貨投入口７から投入された硬貨は、コインメカニズムによって真偽と金種とを識別した後、金種毎に収容され、識別できなかった硬貨は硬貨返却口１０を通じて返却されることになる。また、返却レバー８を操作することによっても硬貨投入口７から投入された硬貨は硬貨返却口１０を通じて返却されることになる。
【００１８】
金額表示部９は、ビルバリデータが収容した紙幣、コインメカニズムが収容した硬貨の合計金額を表示する部分であり、７セグメントＬＥＤ等により構成されている。そして、ビルバリデータが紙幣を収容する毎に、またはコインメカニズムが硬貨を受け入れる毎に、受け入れた紙幣、硬貨の価値を加算して合計金額として表示する。
【００１９】
また、外扉４には、上述した各コラム３に応じて商品取出口１１が設けてある。商品取出口１１は、対応するコラム３に収容された長傘Ｕを取り出すための開口である。これら商品取出口１１には、コラム扉１２が開閉可能に設けてあり、このコラム扉１２を開成することにより、対応するコラム３に収容された長傘Ｕを商品取出口１１から取り出すことができる。コラム扉１２には、透明なプラスチックを嵌め込んだ窓１３が設けてあり、外部からコラム３の内部に収容した長傘Ｕが視認可能になっている。また、コラム扉１２の内側面には、受取用フック１４が設けてある。受取用フック１４は、詳細は後述するが、対応するコラム３の内部に収容された商品搬出装置２０から搬出された商品（長傘Ｕ）を受け取るためのものである。
【００２０】
外扉４の外表面であって、コラム扉１２の上方部分には、各コラム３に応じて選択ボタン１５が配設してある。選択ボタン１５は、購入する商品を選択指示する部分であって、商品の購入が可能になった場合、つまり、商品の価格と投入金額とが同一の場合、あるいは商品の価格よりも投入金額の方が多い場合に選択ボタン１５の押下操作が有効になる。
【００２１】
また、選択ボタン１５には、ＬＥＤ等の光源が内蔵してあり、選択ボタン１５の押下操作が有効な場合に点灯し、選択ボタン１５の押下操作が無効な場合に消灯するようになっている。更に、選択ボタン１５は、「販売中」および「売切」の表示が可能であって、対応するコラム３から商品の販売が可能な場合には「販売中」を表示し、対応するコラム３から商品の販売が不可能な場合には「売切」を表示する。
【００２２】
図３は、図１および図２に示した自動販売機に適用された商品搬出装置、すなわち本発明の実施の形態における商品搬出装置を示すものである。この図３において、商品搬出装置２０は、本体部２１および収納部２２を備えて構成してある。本体部２１は、各コラム３の天井部分（図示せず）に固定配置したものであり、取付ベース２１１およびモータブラケット２１２を有してなるものである。
【００２３】
取付ベース２１１は、各コラム３の天井部分（図示せず）において前後方向に延在する態様で固定配置したものであり、板金を加工して構成したものである。具体的には、板金を縦断面がコ字状となるように折り曲げて形成してあり、開口部が下方を向くように構成してある。この取付ベース２１１には、図には明示しないが、両側部の内側面には前後方向に延在するレールが形成してある一方、前方側両側部の外側面にはローラが回転自在に取り付けてある。
【００２４】
モータブラケット２１２は、取付ベース２１１の後端から垂下する態様で設けてある。モータブラケット２１２は、板金を屈曲加工して構成したものであり、モータ２１３と一体化したギアヘッド２１４が取り付けてある。ギアヘッド２１４の出力軸２１４１には、径方向に貫通したピン２１４２が固着してある。
【００２５】
収納部２２は、長傘Ｕを収納する部分であり、引出ベース２２１およびギアボックス２２２を有して成るものである。引出ベース２２１は、図４および図５に示すように、板金を縦断面がコ字状となるように折り曲げて形成してあり、開口部が上方を向くように構成してある。引出ベース２２１は、取付ベース２１１よりも僅かに幅拡に形成してあり、引出ベース２２１が後方側に位置する場合には取付ベース２１１が内部に収容される。この引出ベース２２１には、両側部の上端から内方に屈曲されたレール２２１１が設けてある。かかるレール２２１１は、その下面を取付ベース２１１に設けられたローラが転動するものである。また、引出ベース２２１の後方側にはローラ２２１２が回転自在に取り付けてある。かかるローラ２２１２は、取付ベース２１１に形成されたレールを転動するものである。
【００２６】
このように引出ベース２２１は、取付ベース２１１のローラがレール２２１１の下面を転動し、かつローラ２２１２が取付ベース２１１のレールを転動することによって、図６に示したように、取付ベース２１１に対して前後方向に沿ってスライド移動可能、すなわち引き出し可能に構成してある。そして、引出ベース２２１が後方側に位置する場合、すなわち収納部２２が本体部２１に収納されている場合には、該引出ベース２２１の内部に取付ベース２１１が収容されることになり、これにより引出ベース２２１も各コラム３の内部に収容されることになる。
【００２７】
引出ベース２２１の前方部分には、引出レバー２２１３が揺動可能に設けてある。引出レバー２２１３は、図５に示すように、側方から見た場合に略Ｌ字状を成しており、一方の腕部には、取付ベース２１１に設けられた矩形の係合孔（図示せず）に係合するためのカギ状の係合片２２１３ａが形成してあり、他方の腕部は操作部分として機能する。この引出レバー２２１３は、ねじりコイルバネ２２１４によって、引出レバー２２１３の係合片２２１３ａが係合孔と係合するように、つまり、図５において反時計回りに付勢してある。
【００２８】
従って、引出ベース２２１を収納部２２が本体部２１に収納された状態から前方に引き出した状態に移行させる場合には、引出レバー２２１３を操作して、引出レバー２２１３の係合片２２１３ａと取付ベース２１１の係合孔との係合状態を解除してから引出ベース２２１を前方に引き出す必要がある。
【００２９】
引出ベース２２１を引き出した状態から収納部２２が本体部２１に収納された状態に移行させる場合には、引出ベース２２１を後方に向けて押し込むだけでよい。引出ベース２２１を後方に押し込むと、引出レバー２２１３の係合片２２１３ａが取付ベース２１１の下面に当接した後に取付ベース２１１の係合孔に進入して係合することになり、これにより引出ベース２２１を収容位置に移行させることができる。
【００３０】
ギアボックス２２２は、図７に示すように、箱状に折り曲げた２つの板金を組み合わせることにより形成したものである。ギアボックス２２２の上述したギアヘッド２１４の出力軸２１４１に対向する位置には、小径ギア２２３が回転可能、かつ前後方向に摺動可能に支承してある。小径ギア２２３は、大径軸部２２３１、小径軸部２２３２およびギア部２２３３を有している。大径軸部２２３１は、ギアヘッド２１４の出力軸２１４１から動力が供給される部分であり、ギアヘッド２１４の出力軸２１４１と対向している。大径軸部２２３１の端部には、ギアヘッド２１４の出力軸２１４１を受容可能とする凹部２２３４が形成してあり、ギアヘッド２１４の出力軸２１４１に固着したピン２１４２を受容可能とする溝２２３５が凹部２２３４を横切るように形成してある。
【００３１】
小径軸部２２３２の回りには、圧縮コイルバネ２２３６が巻回してあり、小径ギア２２３を後方側（ギアヘッド２１４の出力軸２１４１方向）に付勢してある。このため、本体部２１に収納部２２を収納した当初、ギアヘッド２１４の出力軸２１４１と小径ギア２２３の大径軸部２２３１との位相が合致せずに溝２２３５がピン２１４２を受容していない場合であっても、モータ２１３を回転させることによりギアヘッド２１４の出力軸２１４１が回転し、ギアヘッド２１４の出力軸２１４１と小径ギア２２３の大径軸部２２３１との位相が合致して溝２２３５がピン２１４２を受容する。
【００３２】
また、ギアボックス２２２には、大径ギア２２４が回転可能に支承してある。大径ギア２２４は、ギア部２２４１、検出軸部２２４２および出力軸部２２４３を有している。ギア部２２４１は、小径ギア２２３のギア部２２３３と噛合し、小径ギア２２３から大径ギア２２４に動力を伝達可能である。尚、小径ギア２２３が前後方向に摺動した場合であっても、小径ギア２２３のギア部２２３３と大径ギア２２４のギア部２２４１との噛合状態が外れることはない。
【００３３】
検出軸部２２４２は、ギア部２２４１から後方側に延在し、ギアボックス２２２から後方側に突出している。この検出軸部２２４２の端部には検出片２２５が取り付けてあり、この検出片２２５と対向するようにリミットスイッチ２１２１がモータブラケット２１２に取り付けてある。従って、本体部２１に収納部２２を収納した場合に、大径ギア２２４の回転を検出可能である。尚、ギアヘッド２１４の出力軸２１４１に固着したピン２１４２を小径ギア２２３の溝２２３５に受容していない場合には、モータ２１３が回転しても、小径ギア２２３に動力が伝達されないので、大径ギア２２４が回転することなく、リミットスイッチ２１２１が大径ギア２２４の回転を検出することはない。出力軸部２２４３は、ギア部２２４１から前方側に延在し、ギアボックス２２２から前方側に突出している。
【００３４】
上記収納部２２は、スパイラル（螺旋状部材）３１と、ガイド部材３２と、商品受部３３とをさらに備えて構成してある。スパイラル３１は、図８および図９に示すように、前後方向に沿って螺旋状に巻回された態様で構成され、かつ中心軸回りに回転可能に配設されたものである。より詳細には、スパイラル３１は、反時計回りに回転するにしたがって漸次前方側に延在するように（右ネジと同様に）形成した螺旋状の部材であり、前方側端部は開放端に成っている。そして、上記出力軸部２２４３に取り付けて回転可能に配設してある。
【００３５】
ガイド部材３２は、スパイラル３１の内部を支えるように該スパイラル３１の前後方向に貫通する態様で延在し、前端部および後端部がスパイラル３１の右方側に設けた側板部材３４に支持された両端支持構造を有するものである。このガイド部材３２は、スパイラル３１がその中心軸回りに回転する場合に撓んでしまうことを抑制するものである。
【００３６】
商品受部３３は、長傘Ｕを吊り下げた状態で支持するものであり、商品姿勢保持部材３３１および商品台部材３３２を有して構成したものである。商品姿勢保持部材３３１は、図８に示すように、ガイド部材３２を支持する側板部材３４の下端からスパイラル３１の配設方向（左方）に向けて水平に延在する板状部材である。この商品姿勢保持部材３３１の延在先端は下方に屈曲してある。商品姿勢保持部材３３１の左右方向の幅は、詳細は後述するが、スパイラル３１のピッチ間に係合される長傘Ｕが起立姿勢を保持できるのに十分な大きさを有している。このような商品姿勢保持部材３３１の上面には、上方に突出し、かつ前後方向に延在する固定支持板３３３が配設してある。
【００３７】
商品台部材３３２は、図８および図９に示すように、スパイラル３１の内部をその延在方向（前後方向）に沿って挿通する態様で配設したものであり、長傘Ｕのフック状の柄と係合する台である。より詳細には、商品台部材３３２は、長尺状の板部材であり、前端が屈曲されて固定支持板３３３の前端部に固定され、後端が固定支持板３３３およびギアボックス２２２に固定された後端支持板３５に固定された両端支持構造を有するものである。そして、この商品台部材３３２と、固定支持板３３３との間には、前後方向が長径となり、長孔３３４が形成してある。長孔３３４は、スパイラル３１の下端部を貫通させる態様で収納するものである。この長孔３３４は、商品台部材３３２の前端が屈曲されて固定支持板３３３に固定されることにより、前端が閉塞されている。
【００３８】
上述した商品搬出装置２０に商品を収納する収納手順について説明する。商品搬出装置２０に長傘Ｕを収納する場合には、まず、引出レバー２２１３を操作し、引出レバー２２１３の係合片２２１３ａと取付ベース２１１の係合孔との係合状態を解除する。そして、図６に示すように、引出ベース２２１を前方に引き出すことにより収納部２２が本体部２１から引き出され、収納部２２に長傘Ｕの収納が可能となる。
【００３９】
長傘Ｕを収納部２２に収納する場合には、スパイラル３１の各ピッチ間に長傘Ｕの柄を進入させて、商品台部材３３２に係合させることにより、長傘Ｕを吊り下げた状態で収納する。
【００４０】
そして、引出ベース２２１を後方に押し込むと、収納部２２が本体部２１に収納され、引出レバー２２１３の係合片２２１３ａが取付ベース２１１の係合孔に係合し、商品搬出装置２０に長傘Ｕの収納が完了する。このとき、長傘Ｕは、商品姿勢保持部材３３１により起立姿勢が保持されており、図２に示すように、長傘Ｕの一部が各コラム３の一の側壁に接した状態で収納されることになる。
【００４１】
次に商品搬出装置２０の商品の搬出手順について説明する。この商品搬出装置２０に取り付けた自動販売機から搬出指令を発せられると、商品搬出装置２０は、モータ２１３を回転させて、モータ２１３からの回転動力がギアヘッド２１４の出力軸２１４１、小径ギア２２３、大径ギア２２４の順に伝達され、スパイラル３１を図１０に示すように時計方向に回転させる。
【００４２】
スパイラル３１の各ピッチ間において商品台部材３３２に係合して吊り下げられた状態にある長傘Ｕは、後方から前方に向けて搬送される。そして、スパイラル３１の開放端に至った長傘Ｕは、図１１に示すように、当該開放端から開放され、商品搬出装置２０の外部に搬出され、受取用フック１４に係合され、コラム扉１２が開成された後、利用者に提供されることになる。
【００４３】
以上のような構成を有する商品搬出装置２０においては、長傘Ｕをスパイラル３１の各ピッチ間に進入させて、スパイラル３１の延在方向に沿って挿通する態様で配設された商品台部材３３２にフック状の柄を係合させて長傘Ｕを吊り下げた状態に支持するので、長傘Ｕを傾けたり、ひねったりしてフック状の柄を係合させる必要が無く、長傘Ｕを容易に収納することができる。また、これにより、長傘Ｕの収納に伴う機械停止時間の短縮化を図ることができる。
【００４４】
上記商品搬出装置２０によれば、商品姿勢保持部材３３１が、フック状の柄が商品台部材３３２に係合して吊り下げられた状態にある長傘Ｕを起立した姿勢に保持するので、長傘Ｕを収納する場合に長傘Ｕの姿勢を調整する必要が無く、これによっても長傘Ｕの収納性を向上させることができる。
【００４５】
また、上記商品搬出装置２０によれば、前端が閉塞された長孔３３４に、スパイラル３１の下端部を貫通させる態様で収納するので、スパイラル３１を前方に引き出される虞れがなく、長傘Ｕの防盗性にも優れたものになる。
【産業上の利用可能性】
【００４６】
以上のように、本発明に係る商品搬出装置は、長傘等のフック状の係合部を有した商品を順次前方に向けて搬出するのに有用である。
【図面の簡単な説明】
【００４７】
【図１】本発明の実施の形態における商品搬出装置が適用された自動販売機の斜視図である。
【図２】本発明の実施の形態における商品搬出装置が適用された自動販売機の内部を示す正面図である。
【図３】本発明の実施の形態における商品搬出装置を示す側面図である。
【図４】図３に示した商品搬出装置を構成する収納部を示した斜視図である。
【図５】図３に示した商品搬出装置を構成する収納部を示した側面図である。
【図６】本発明の実施の形態における商品搬出装置を示す側面図である。
【図７】図３に示した商品搬出装置を構成するモータブラケットおよびギアボックスの内部構成を示す説明図である。
【図８】図４および図５に示した収納部の要部を示した斜視図である。
【図９】図４および図５に示した収納部の要部を示した斜視図である。
【図１０】長傘を搬出する搬出手順を説明するための説明図である。
【図１１】長傘を搬出する搬出手順を説明するための説明図である。
【符号の説明】
【００４８】
２０      商品搬出装置
２１      本体部
２２      収納部
３１      スパイラル
３２      ガイド部材
３３      商品受部
３３１      商品姿勢保持部材
３３２      商品台部材
３４      長孔
【図１】
0004775126.tif 000002
【図２】
0004775126.tif 000003
【図３】
0004775126.tif 000004
【図４】
0004775126.tif 000005
【図５】
0004775126.tif 000006
【図６】
0004775126.tif 000007
【図７】
0004775126.tif 000008
【図８】
0004775126.tif 000009
【図９】
0004775126.tif 000010
【図１０】
0004775126.tif 000011
【図１１】
0004775126.tif 000012